(57)【要約】【課題】電気光学装置において、落下などによる衝撃が加わった場合に、電気光学パネルに対して大きな応力が作用することを抑制する。【解決手段】電気光学装置の一例たる液晶装置は、液晶表示パネルと、その一方の面に取り付けられた第２の偏光板と、第２の偏光板の液晶表示パネル側と逆側に配置された導光板と、を備える。導光板は、液晶表示パネルに向けて突出する突起を有し、その突起は遮光テープを介して液晶表示パネルに取り付けられた第２の偏光板に接合される。つまり、導光板と液晶表示パネルに取り付けられた第２の偏光板とが遮光テープを介して直接的に結合される。これにより、この液晶装置に対して落下等による衝撃が加わった場合に、液晶表示パネル及び導光板の各外周部を基点として、その両者の各中央部付近が相反する方向に撓み難くなる。その結果、液晶表示パネルに対して大きな応力が作用することを抑制できる。【選択図】図２
2009181090.tif 000002
【特許請求の範囲】
【請求項１】
電気光学パネル部と、
前記電気光学パネル部の一方の面側に配置された導光板と、を備え、
前記導光板は、接着要素を介して前記電気光学パネル部に直接的に又は間接的に接合されていることを特徴とする電気光学装置。
【請求項２】
前記導光板の面から前記電気光学パネル部に向けて突出する少なくとも１つの突起を有し、
前記少なくとも１つの突起は、前記接着要素を介して前記電気光学パネル部に接合されていることを特徴とする請求項１に記載の電気光学装置。
【請求項３】
前記導光板は、光源より発光された光を前記電気光学パネル部に向けて発光する有効発光領域を有し、
前記少なくとも１つの突起は、前記有効発光領域の外側の領域に設けられていることを特徴とする請求項１又は２に記載の電気光学装置。
【請求項４】
前記少なくとも１つの突起は、前記導光板の外端面より内側に設けられていることを特徴とする請求項１乃至３のいずれか一項に記載の電気光学装置。
【請求項５】
前記少なくとも１つの突起は、前記導光板と一体的に形成されていることを特徴とする請求項１乃至４のいずれか一項に記載の電気光学装置。
【請求項６】
前記少なくとも１つの突起は、前記導光板と異なる部材により形成されていることを特徴とする請求項１乃至４のいずれか一項に記載の電気光学装置。
【請求項７】
前記導光板の前記外端面には少なくとも１つの光源が対向配置されており、
前記電気光学パネル部と前記導光板との間であって、且つ前記少なくとも１つの突起より内側には光学シートが設けられており、
前記少なくとも１つの突起は、光を遮光する遮光性部材により形成され、且つ前記少なくとも１つの光源から発光された光を前記光学シート側へ透過させるのを阻止することを特徴とする請求項６に記載の電気光学装置。
【請求項８】
前記導光板の前記外端面には少なくとも１つの光源が対向配置されており、
前記電気光学パネル部と前記導光板との間であって、且つ前記少なくとも１つの突起より内側には光学シートが設けられており、
前記少なくとも１つの突起と前記導光板との境界面には光を反射する反射層が設けられており、
前記反射層は、前記少なくとも１つの光源から発光された光を、前記光学シート側へ導出させることなく前記導光板内に向けて反射させることを特徴とする請求項６に記載の電気光学装置。
【請求項９】
前記電気光学パネル部には電気光学パネルが含まれ、
前記電気光学パネル部は前記電気光学パネルであることを特徴とする請求項１乃至８のいずれか一項に記載の電気光学装置。
【請求項１０】
前記電気光学パネル部には偏光板が含まれ、
前記電気光学パネル部は前記偏光板であることを特徴とする請求項１乃至８のいずれか一項に記載の電気光学装置。
【請求項１１】
前記導光板の前記外端面には少なくとも１つの光源が対向配置されており、
前記少なくとも１つの突起は、前記導光板の前記外端面側であって、且つ前記少なくとも１つの光源より発光された光を遮光しない非遮光領域に設けられていることを特徴とする請求項４に記載の電気光学装置。
【請求項１２】
前記導光板の前記外端面には複数の光源が適宜の間隔をおいて対向配置されており、
前記導光板の前記外端面側であって、且つ前記光源の両側に対応する位置には、前記光源の各々より発光された光を遮光しない非遮光領域が複数形成されており、
前記少なくとも１つの突起は、複数の前記非遮光領域のうち少なくとも１つの領域に設けられていることを特徴とする請求項４に記載の電気光学装置。
【請求項１３】
請求項１乃至１２のいずれか一項に記載の電気光学装置を表示部として備えることを特徴とする電子機器。
【発明の詳細な説明】
【技術分野】
【０００１】
本発明は、各種情報の表示に用いて好適な電気光学装置に関する。
【背景技術】
【０００２】
従来より、携帯電話機、携帯情報端末機等といった各種の電子機器において、画像情報を表示するために電気光学装置が用いられている。
【０００３】
このような電気光学装置の一例として、一対の基板間に電気光学物質を狭持する電気光学パネルと、電気光学パネルの背面側に配置された面光源ユニットと、電気光学パネル及び面光源ユニットなどを収容する矩形枠状の樹脂ホルダと、を備える電気光学装置が知られている（例えば、特許文献１を参照）。
【０００４】
【特許文献１】特開２００４−２３３８１１号公報
【発明の開示】
【発明が解決しようとする課題】
【０００５】
上記した特許文献１に記載の電気光学装置では、電気光学パネルと導光板を備える面光源ユニットとが矩形枠状の樹脂ホルダの内側に配置され、電気光学パネルと導光板とが矩形枠状の樹脂ホルダを通じて間接的に結合されている。このため、この電気光学装置に対して落下などによる衝撃が加わった場合には、電気光学パネル及び導光板の各外周部を支持している樹脂ホルダの部分を基点として、電気光学パネル及び導光板の各中央部が相反する方向に盛り上るように撓み、つまり電気光学パネル及び導光板とが一時的に貝の形状を形成するように撓み、そのために電気光学パネルに大きな応力が作用してしまうといった課題がある。
【０００６】
本発明は、以上の点に鑑みてなされたものであり、落下などの衝撃が加わった場合に、電気光学パネルに大きな応力が作用することを抑制することが可能な電気光学装置及びそれを用いた電子機器を提供することを課題とする。
【課題を解決するための手段】
【０００７】
本発明の１つの観点では、電気光学装置は、電気光学パネル部と、前記電気光学パネル部の一方の面側に配置された導光板と、を備え、前記導光板は、接着要素を介して前記電気光学パネル部に直接的に又は間接的に接合されている。
【０００８】
上記の電気光学装置は、電気光学パネル部と、電気光学パネル部の一方の面側に配置された導光板と、を備える。好適な例では、前記電気光学パネル部には電気光学パネルが含まれ、前記電気光学パネル部は一対の基板間に電気光学物質を挟持する前記電気光学パネルであることが好ましい。または、前記電気光学パネル部には偏光板が含まれ、前記電気光学パネル部は前記偏光板であることが好ましい。この場合、前記偏光板は一対の基板間に電気光学物質を挟持する電気光学パネルに取り付けられた構成とされる。
【０００９】
この電気光学装置では、導光板は、接着要素を介して電気光学パネル部に直接的に又は間接的に接合されている。つまり、導光板と電気光学パネル部とは接着要素を介して直接的に又は間接的に結合される。これにより、この電気光学装置に対して落下等による衝撃が加わった場合に、電気光学パネル部（例えば、電気光学パネル又は偏光板）及び導光板の各外周部を基点として、電気光学パネル部及び導光板の各中央部付近が相反する方向に撓み難くなる。その結果、電気光学パネル部に対して大きな応力が作用することを抑制又は緩和できる。
【００１０】
上記の電気光学装置の一つの態様では、前記導光板の面から前記電気光学パネル部に向けて突出する少なくとも１つの突起を有し、前記少なくとも１つの突起は、前記接着要素を介して前記電気光学パネル部に接合されている。この態様によれば、導光板の少なくとも１つの突起と電気光学パネル部とは接着要素を介して直接的に結合される。
【００１１】
好適な例では、前記導光板は、光源より発光された光を前記電気光学パネル部に向けて発光する有効発光領域を有し、前記少なくとも１つの突起は、前記有効発光領域の外側の領域に設けられていることが好ましい。ここで、有効発光領域の外側の領域は、導光板において、光源より発光された光が電気光学パネル側に向けて照射されない領域とされる。かかる構造によれば、導光板の有効発光領域より電気光学パネル部に向けて光が照射された場合に、少なくとも１つの突起がその光の進行を阻むことを防止できる。そのため、光の利用効率が低下することを防止できる。
【００１２】
他の好適な例では、前記少なくとも１つの突起は、前記導光板の外端面より内側に設けられていることが好ましい。これにより、上記した作用によって電気光学パネル部及び導光板の各中央部付近が相反する方向により撓み難くなる。その結果、電気光学パネル部に対して大きな応力が作用することをより抑制又は緩和できる。
【００１３】
更に他の好適な例では、導光板の作製工程の簡略化、及び導光板と電気光学パネル部との結合力の向上などを図る観点より、前記少なくとも１つの突起は、前記導光板と一体的に形成（例えば、一体成形）されていることが好ましい。或いは、前記少なくとも１つの突起は、前記導光板と異なる部材により形成されていてもよい。
【００１４】
上記の電気光学装置の他の態様では、前記導光板の前記外端面には少なくとも１つの光源が対向配置されており、前記電気光学パネル部と前記導光板との間であって、且つ前記少なくとも１つの突起より内側には光学シートが設けられており、前記少なくとも１つの突起は、光を遮光する遮光性部材により形成され、且つ前記少なくとも１つの光源から発光された光を前記光学シート側へ透過させるのを阻止する。ここで、光学シートとしては、例えばプリズムシートや拡散シートなど既知の各種の光学シートが挙げられる。
【００１５】
この態様によれば、遮光性を有する少なくとも１つの突起の存在により、少なくとも１つの光源から発光された光が光学シート側へ透過することを阻止することができる。よって、電気光学装置の表示品位に悪影響を及ぼすことを防止できる。
【００１６】
上記の電気光学装置の他の態様では、前記導光板の前記外端面には少なくとも１つの光源が対向配置されており、前記電気光学パネル部と前記導光板との間であって、且つ前記少なくとも１つの突起より内側には光学シートが設けられており、前記少なくとも１つの突起と前記導光板との境界面には光を反射する反射層が設けられており、前記反射層は、前記少なくとも１つの光源から発光された光を、前記光学シート側へ導出させることなく前記導光板内に向けて反射させる。ここで、光学シートとしては、例えばプリズムシートや拡散シートなど既知の各種の光学シートが挙げられる。
【００１７】
この態様によれば、少なくとも１つの光源から反射層に向けて発光された光の一部は反射層にて反射され、導光板の内部へ戻される。よって、少なくとも１つの光源から発光された光が光学シート側に向けて導出又は出射されることを防止できる。その結果、電気光学装置の表示品位に悪影響を及ぼすことを防止できる。
【００１８】
上記の電気光学装置の他の態様では、前記導光板の前記外端面には少なくとも１つの光源が対向配置されており、前記少なくとも１つの突起は、前記導光板の前記外端面側であって、且つ前記少なくとも１つの光源より発光された光を遮光しない非遮光領域に設けられている。これにより、少なくとも１つの光源から発光された光が、少なくとも１つの突起によって遮光されることを防止できる。その結果、光源から導光板内に導入される光の量が低減することを防止できる。
【００１９】
上記の電気光学装置の他の態様では、前記導光板の前記外端面には複数の光源が適宜の間隔をおいて対向配置されており、前記導光板の前記外端面側であって、且つ前記光源の両側に対応する位置には、前記光源の各々より発光された光を遮光しない非遮光領域が複数形成されており、前記少なくとも１つの突起は、複数の前記非遮光領域のうち少なくとも１つの領域に設けられている。これにより、各光源から発光された光が、少なくとも１つの突起によって遮光されることを防止できる。その結果、光源から導光板内に導入される光の量が低減することを防止できる。
【００２０】
本発明の他の観点では、上記の電気光学装置を表示部として備える電子機器を構成することができる。
【発明を実施するための最良の形態】
【００２１】
以下、図面を参照して本発明を実施するための最良の形態について説明する。
【００２２】
[第１実施形態]
（液晶装置の構成）
以下、図１及び図２を参照して、本発明の第１実施形態に係る電気光学装置の一例としての液晶装置１００の構成について説明する。
【００２３】
図１は、第１実施形態に係る液晶装置１００の分解斜視図を示す。図２は、図１の切断線Ａ−Ａ’に沿った液晶装置１００の組立て後の要部断面図を示す。なお、図１では、便宜上、図３に示す光源１４の図示を省略していると共に、図２では、説明の便宜上、図３に示す光源１４（矩形状の二点鎖線領域に相当）を図示することにしている。
【００２４】
第１実施形態に係る液晶装置１００は、主に、電気光学パネルの一例としての液晶表示パネル５０と、第１の偏光板７と、第２の偏光板８と、接着要素の一例としての遮光テープ９と、光学シート２０と、導光板１３と、を備える。
【００２５】
液晶表示パネル５０は、ガラスなどの透光性材料により形成された第１の基板１と、第１の基板１と同様の材料により形成された第２の基板２とを枠状のシール材３を介して貼り合わせ、その枠状のシール材３で区画される領域に電気光学物質の一例としての液晶層４を封入してなる。液晶表示パネル５０の液晶層４側の内面上には、例えば、ブラックマトリクス、カラーフィルタ、電極その他の多くの構成要素がマトリクス状（格子状）又はストライプ状（線状）に形成されるが、図１及び図２では図示を省略している。また、第１の基板１は、第２の基板２の一端から外側へ張り出す張り出し領域１ｈを有する。張り出し領域１ｈの第２の基板２側の面上には、液晶を駆動するためのドライバＩＣ５及びＦＰＣ（Flexible Printed Circuit）６が夫々実装されている。ＦＰＣ６の一端側は、張り出し領域１ｈ上に実装されている一方、ＦＰＣ６の他端側は、張り出し領域１ｈの第２の基板２側とは逆側に折り返され、さらに光を遮光する遮光テープ（遮光性を有する両面テープ）９を通じて第２の偏光板８に接合されている。ＦＰＣ６の他端側の面上には、例えばＬＥＤ（Light Emitting Diode）などの、複数の光源１４が取り付けられている。なお、本発明では、液晶表示パネル５０は、特定の構成に限定されず、周知の種々の構成を採り得る。
【００２６】
第１の偏光板７及び第２の偏光板８は、入射光に対して特定の偏光成分のみを透過させる光学部材であり、液晶表示パネル５０を挟持する位置に配置されている。具体的には、第１の偏光板７は、図示しない接着要素を介して第２の基板２の液晶層４側とは逆側の面上に固定され又は取り付けられている。一方、第２の偏光板８は、図示しない接着要素を介して第１の基板１の液晶層４側とは逆側の面上に取り付けられている。
【００２７】
光学シート２０には、第１のプリズムシート１０、第２のプリズムシート１１及び拡散シート１２が含まれる。第１のプリズムシート１０は、第２の偏光板８の第１の基板１側とは逆側に配置されている。第２のプリズムシート１１は、第１のプリズムシート１０の第２の偏光板８側とは逆側に配置されている。第１のプリズムシート１０及び第２のプリズムシート１１は、後述する拡散シート１２側から出射された光を液晶表示パネル５０側に向けて集束させる役割を有する。拡散シート１２は、第２のプリズムシート１１の第１のプリズムシート１０側とは逆側に配置されている。拡散シート１２は、後述する導光板１３から出射された面状の光を第２のプリズムシート１１に向けて散乱させる役割を有する。なお、本発明では、液晶装置１００に対して、これらの光学シートを設けることは必須ではなく、或いは、これらの光学シート以外の光学シートを更に設けることとしても構わない。
【００２８】
導光板１３は、透光性素材にて形成されており、拡散シート１２の第２のプリズムシート１１側とは逆側に配置されている。導光板１３は、一定の厚さを有する本体部１３ａと、本体部１３ａから外側に向かって厚さが漸次厚くなる傾斜部１３ｂと、液晶表示パネル５０側に向けて突出する複数の突起（突起部）１３ｄと、を有する。本体部１３ａは、光学シート２０と重なる位置に配置されている。本体部１３ａは、図２に示すように、光源１４から発光された光Ｌを液晶表示パネル５０側に向けて発光する有効発光領域Ｖ１を有する。そして、導光板１３における有効発光領域Ｖ１の外側の領域Ｖ２は、遮光テープ９と重なる位置に配置されており、光源１４より発光された光が液晶表示パネル５０側に向けて照射されない遮光領域となっている。傾斜部１３ｂは、光源１４と光学シート２０との間に対応する位置に配置されている。傾斜部１３ｂの一端側の外端面（以下、「入光端面」と称する）１３ｃと対向する位置には、上記した各光源１４が配置されている。入光端面１３ｃの厚さは光源１４と略同一の厚さに形成されている。これにより、導光板１３内に対する光源１４からの光の導入量を増やすことができ、液晶装置１００の輝度向上が図られている。
【００２９】
以上の構成を有する液晶装置１００では、ＦＰＣ６側から供給される駆動電流によって各光源１４が発光し、その発光した光Ｌが、導光板１３の入光端面１３ｃを通じて導光板１３の内部へ入射する。導光板１３の内部に入射した光Ｌは、導光板１３の下面と上面（出光面）１３ｕとの間で反射を繰り返し、その出光面１３ｕと光Ｌのなす角が臨界角を超えると、光Ｌは、当該出光面１３ｕを透過して拡散シート１２側へ出光する。そして、拡散シート１２側に出光した光Ｌは、拡散シート１２、第２のプリズムシート１１、第１のプリズムシート１０、第２の偏光板８、液晶表示パネル５０、第１の偏光板７をこの順に透過する。このとき、液晶層４内の液晶分子の配向が制御され、所望の表示画像が観察者によって視認される。
【００３０】
（液晶表示パネルの応力抑制構造）
次に、図２及び図３（ａ）を参照して、本発明の第１実施形態に係る液晶表示パネル５０の応力抑制構造について説明する。
【００３１】
図３（ａ）は、複数の光源１４及び導光板１３の傾斜部１３ｂ付近の要部平面図を示す。図３（ａ）において、各光源１４から導光板１３内に向けて斜めに延びる破線は、光源１４から導光板１３に向けて放射状に発光される光Ｌの外縁部分を示す。また、図３（ａ）において、一点鎖線にて囲まれる導光板１３の領域は有効発光領域Ｖ１を示す。
【００３２】
ここで、比較例として、導光板の外周部と液晶表示パネルの外周部とが樹脂製のフレームを通じて間接的に結合された構造を備える液晶装置を想定すると、比較例では次のような課題が生じ得る。即ち、比較例では、導光板の外周部と液晶表示パネルの外周部とが樹脂製のフレームを通じて間接的に結合されている。このため、かかる液晶装置に対し落下等による衝撃が加わった場合、導光板及び液晶表示パネルの各外周部を支持しているフレームの部分を基点として、導光板及び液晶表示パネルの各中央部が相反する方向に盛り上るように撓み、つまり液晶表示パネル及び導光板とが一時的に貝の形状を形成するように撓み、そのために液晶表示パネルに対し大きな応力が作用してしまうといった課題がある。
【００３３】
そこで、第１実施形態では、導光板１３の各突起１３ｄを、遮光テープ９を介して液晶表示パネル５０に固定され又は取り付けられた第２の偏光板８に接合する。つまり、第１実施形態では、導光板１３と液晶表示パネル５０に取り付けられた第２の偏光板８とを遮光テープ９を介して直接的に結合する。
【００３４】
これにより、この液晶装置１００に対して落下等による衝撃が加わった場合に、上記の比較例と比較して、液晶表示パネル５０及び導光板１３の各外周部を基点として、液晶表示パネル５０及び導光板１３の各中央部付近が相反する方向に撓み難くなる。その結果、液晶装置１００に対して大きな応力が作用することを抑制又は緩和できる。
【００３５】
好適な例では、各突起１３ｄは、図２及び図３（ａ）に示すように、有効発光領域Ｖ１の外側の領域Ｖ２に設けられていることが好ましい。これによれば、導光板１３の有効発光領域Ｖ１より液晶表示パネル５０に向けて光Ｌが照射された場合に、各突起１３ｄがその光Ｌの進行を阻むことを防止できる。そのため、光Ｌの利用効率が低下することを防止できる。
【００３６】
更に、好適な例では、各突起１３ｄは、図２及び図３（ａ）に示すように、導光板１３の外端面、例えば入光端面１３ｃより内側に設けられていることが好ましい。これにより、上記した作用によって液晶表示パネル５０及び導光板１３の各中央部付近が相反する方向により撓み難くなる。その結果、液晶表示パネル１００に対して大きな応力が作用することをより抑制又は緩和できる。
【００３７】
更に、好適な例では、各突起１３ｄは、図２及び図３（ａ）に示すように、ＦＰＣ６と重ならない状態で第２の偏光板８に遮光テープ９を介して接合することが好ましい。これは、かかる構成を有する液晶装置に対して衝撃が加わった場合に、可とう性を有する素材にて形成されたＦＰＣ６の弾性力によって、各突起１３ｄが第２の偏光板８から離隔する方向に動かされて各突起１３ｄと第２の偏光板８との結合力が弱まり、その結果、上記した作用によって液晶表示パネル５０及び導光板１３の各中央部付近が相反する方向に撓み易くなってしまうからである。
【００３８】
また、第１実施形態では、導光板１３は、図３（ａ）に示すように、導光板１３の入光端面１３ｃには複数の光源１４が適宜の間隔をおいて対向して配置されている。そして、導光板１３の入光端面１３ｃ側であって、且つ各光源１４の配列方向における当該各光源１４の両側に対応する位置には、各光源１４より発光された光Ｌを遮光しない非遮光領域Ａ１〜Ａ４が複数形成され、各突起１３ｄは、複数の非遮光領域Ａ１〜Ａ４のうち非遮光領域Ａ２及びＡ４に設けられている。これにより、光源１４から発光された光Ｌが各突起１３ｄによって遮光されることを防止できる。その結果、光源１４から導光板１３内に導入される光Ｌの量が低減することを防止できる。
【００３９】
なお、これに限らず、本発明では、各突起１３ｄは、複数の非遮光領域Ａ１〜Ａ４のうち少なくとも１つの領域に設けられていればよい。好適な例では、各突起１３ｄは、複数の非遮光領域Ａ１〜Ａ４の全てに設けられていることが好ましい。これは、各突起１３ｄの数が増えると、その分だけ、導光板１３と第２の偏光板８との結合力が大きくなり、液晶装置１００に衝撃が加わった場合に、液晶表示パネル５０及び導光板１３の各外周部を基点として、その両者の各中央部付近が相反する方向により撓み難くなるからである。
【００４０】
また、本発明では、各突起１３ｄは、複数の非遮光領域Ａ１〜Ａ４の範囲内において、その面積をできる限り大きくすることが好ましい。ここで、図３（ｂ）は、図３（ａ）に対応する要部平面図であり、非遮光領域Ａ２及びＡ３内において、各突起１３ｄの面積をできる限り大きくした構成例を示す。
【００４１】
この構成例では、各突起１３ｄは、それぞれ非遮光領域Ａ２及びＡ３に設けられ、当該各突起１３ｄは、それぞれ非遮光領域Ａ２及びＡ３の各面積の範囲内において、その面積ができる限り大きくなるように台形状の平面形状に形成されている。これにより、図３（ａ）の構成例と比較して、導光板１３と第２の偏光板８との結合力をより大きくすることができる。その結果、液晶装置１００に衝撃が加わった場合に、液晶表示パネル５０及び導光板１３の各外周部を基点として、その両者の各中央部付近が相反する方向により撓み難くなる。
【００４２】
また、図３（ｂ）に示す構成例において、導光板１３と第２の偏光板８との結合力をより向上させるためには、各突起１３ｄを、複数の非遮光領域Ａ１〜Ａ４の全てに設けることが好ましい。
【００４３】
また、本発明では、上記した位置に設けられる各突起１３ｄは、導光板１３と異なる別途独立の部材により形成されていてもよい。この場合、導光板１３と液晶表示パネル５０に固定され又は取り付けられた第２の偏光板８とは各突起１３ｄを介して間接的に接合（結合）される。ここで、各突起１３ｄは、導光板１３及び第２の偏光板８に対して接着要素によって接合される。
【００４４】
（液晶表示パネルの応力抑制構造）
次に、図１及び図２を参照して、本発明の第１実施形態に係る液晶表示パネル５０の応力抑制構造について説明する。
【００４５】
ここで、比較例として、導光板の外周部と液晶表示パネルの外周部とが樹脂製のフレームを通じて間接的に結合された構造を備える液晶装置を想定すると、比較例では次のような課題が生じ得る。即ち、比較例では、導光板の外周部と液晶表示パネルの外周部とが樹脂製のフレームを通じて間接的に結合されている。このため、かかる液晶装置に対し落下等による衝撃が加わった場合、導光板及び液晶表示パネルの各外周部を支持しているフレームの部分を基点として、導光板及び液晶表示パネルの各中央部が相反する方向に盛り上るように撓み、つまり液晶表示パネル及び導光板とが一時的に貝の形状を形成するように撓み、そのために液晶表示パネルに対し大きな応力が作用してしまうといった課題がある。  そこで、第１実施形態では、導光板１３の入光端面１３ｃ側の突出状の部分１３ｄを、遮光テープ９を介して液晶表示パネル５０に固定され又は取り付けられた第２の偏光板８に直接的に接合する。つまり、第１実施形態では、導光板１３と液晶表示パネル５０に取り付けられた第２の偏光板８とを遮光テープ９を介して直接的に結合する。
【００４６】
これにより、この液晶装置１００に対して落下等による衝撃が加わった場合に、上記の比較例と比較して、液晶表示パネル５０及び導光板１３の各外周部を基点として、液晶表示パネル５０及び導光板１３の各中央部付近が相反する方向に撓み難くなる。その結果、液晶装置１００に対して大きな応力が作用することを抑制又は緩和できる。
【００４７】
[第２実施形態]
（液晶装置の構成）
次に、図４及び図５を参照して、本発明の第２実施形態に係る電気光学装置の一例としての液晶装置１００ａの構成について説明する。
【００４８】
図４は、第２実施形態に係る液晶装置１００ａの分解斜視図を示す。図５は、図２の切断線Ｂ−Ｂ’に沿った液晶装置１００ａの組立て後の要部断面図を示す。
【００４９】
第１実施形態に係る液晶装置１００と、第２実施形態に係る液晶装置１００ａとを比較した場合、その両者は導光板の構成のみが異なり、それ以外は同様である。よって、以下では、第１実施形態と同一の要素については同一の符号を付し、その説明は省略する。
【００５０】
第２実施形態に係る液晶装置１００ａでは、導光板１３ｘは、例えば上記した第１実施形態の導光板１３と同一の素材にて形成され、本体部１３ａ及び傾斜部１３ｂを備えると共に、さらに第２の偏光板８と導光板１３ｘとを直接的に接合するための突出状の部分１３ｄａを備える。突出状の部分１３ｄａは、導光板１３ｘと一体的に形成（例えば、一体成形）されている。また、導光板１３ｘに対して突出状の部分１３ｄａを複数設ける場合、導光板１３ｘに対する各突出状の部分１３ｄａの設定位置及び形状等は、上記した導光板１３に対する各突起１３ｄの設定位置及び形状等と同様とすることができる。これにより、上記した第１実施形態と同様の各種の作用効果を得ることができる。
【００５１】
（液晶表示パネルの応力抑制構造）
次に、図５を参照して、本発明の第２実施形態に係る液晶表示パネル５０の応力抑制構造について説明する。
【００５２】
第２実施形態では、導光板１３ｘの各突出状の部分１３ｄａを、遮光テープ９を介して液晶表示パネル５０に固定され又は取り付けられた第２の偏光板８に直接的に接合する。つまり、第２実施形態では、導光板１３ｘの各突出状の部分１３ｄａと液晶表示パネル５０に取り付けられた第２の偏光板８とを遮光テープ９を介して直接的に結合する。
【００５３】
これにより、この液晶装置１００ａに対して落下等による衝撃が加わった場合に、上記の比較例と比較して、液晶表示パネル５０及び導光板１３ｘの各外周部を基点として、液晶表示パネル５０及び導光板１３ｘの各中央部付近が相反する方向に撓み難くなる。その結果、液晶装置１００ａに対して大きな応力が作用することを抑制又は緩和できる。
【００５４】
[第３実施形態]
次に、図６（ａ）を参照して、本発明の第３実施形態に係る液晶表示パネル５０の応力抑制構造について説明する。なお、以下では、第１実施形態と同一の要素については同一の符号を付し、その説明は省略する。図６（ａ）は、図２に対応する、第３実施形態に係る液晶装置２００の要部断面図を示す。
【００５５】
第３実施形態と第１実施形態とを比較した場合、第１実施形態に係る液晶装置１００では、導光板１３の各突起１３ｄは、遮光テープ９を介して、液晶表示パネル５０に取り付けられた第２の偏光板８に接合されていたのに対し、第３実施形態に係る液晶装置２００では、導光板１３の各突起１３ｄは、図６（ａ）に示すように、遮光テープ９を介して、液晶表示パネル５０の一方の面、具体的には、第２の基板２の液晶層４側とは逆側の面に接合されている点が異なり、それ以外は同様である。かかる構造によれば、第１実施形態と比較して、導光板１３と液晶表示パネル５０とがより直接的に接合される。
【００５６】
そのため、落下等によって液晶装置２００に衝撃が加わった場合に、第１実施形態と比較して、液晶表示パネル５０及び導光板１３の各中央部付近が相反する方向により撓み難くなり、これによって液晶装置２００に対して大きな応力が作用することをより抑制又は緩和できる。
【００５７】
なお、第３実施形態において、各突起１３ｄが、導光板１３と異なる別途独立の部材により形成されている場合には、導光板１３と液晶表示パネル５０とは各突起１３ｄを介して間接的に接合（結合）されることになる。この場合、各突起１３ｄは、導光板１３及び液晶表示パネル５０に対して接着要素によって接合される。
【００５８】
[第４実施形態]
次に、図６（ｂ）を参照して、本発明の第４実施形態に係る液晶表示パネル５０の応力抑制構造について説明する。なお、以下では、第２実施形態と同一の要素については同一の符号を付し、その説明は省略する。図６（ｂ）は、図５に対応する、第４実施形態に係る液晶装置２００ａの要部断面図を示す。
【００５９】
第４実施形態に係る液晶装置２００ａでは、第２実施形態と同様の構成を有する導光板１３ｘを有する。そして、導光板１３ｘの突出状の部分１３ｄａは、図６（ｂ）に示すように、遮光テープ９を介して、液晶表示パネル５０の一方の面、具体的には、第２の基板２の液晶層４側とは逆側の面に直接的に接合されている。つまり、導光板１３ｘと液晶表示パネル５０とが直接的に結合される。
【００６０】
そのため、落下等によって液晶装置２００ａに衝撃が加わった場合に、第１及び第３実施形態と比較して、液晶表示パネル５０及び導光板１３ｘの各中央部付近が相反する方向により撓み難くなり、これによって液晶装置２００ａに対して大きな応力が作用することをより抑制又は緩和できる。
【００６１】
[第５実施形態]
次に、図７（ａ）及び（ｂ）を参照して、本発明の第５実施形態に係る電気光学装置の一例としての液晶装置２００ｂの構成、及び液晶表示パネル５０の応力抑制構造について説明する。
【００６２】
図７（ａ）は、図２に対応する、第５実施形態に係る液晶装置２００ｂの要部断面図を示す。図７（ｂ）は、複数の光源１４及び導光板１３ｙの傾斜部１３ｂ付近の要部平面図を示す。図７（ｂ）において、各光源１４から導光板１３ｙ内に向けて斜めに延びる破線は、光源１４から導光板１３ｙに向けて放射状に発光される光Ｌの外縁部分を示す。また、図７（ｂ）において、一点鎖線にて囲まれる導光板１３ｙの領域は有効発光領域Ｖ１を示し、破線にて囲まれる領域は光学シート２０の領域を示す。
【００６３】
第１実施形態に係る液晶装置１００と、第５実施形態に係る液晶装置２００ｂとを比較した場合、その両者は、導光板の形状、及び各突起の構成などが異なり、それ以外は同様である。よって、以下では、第１実施形態と同一の要素については同一の符号を付し、その説明は省略する。
【００６４】
第５実施形態に係る液晶装置２００ｂは、導光板１３ｙと各突起７０などを備える。
【００６５】
導光板１３ｙは、例えば上記した導光板１３ｘと同様の素材にて形成される。導光板１３ｙは、本体部１３ａ及び傾斜部１３ｂを有するが、導光板１３ｘに設けられる各突起１３ｄａは有しない。また、各突起７０は、導光板１３ｙとは異なる別途独立の部材にて形成されている。
【００６６】
ここで、各突起７０が、透光性を有する素材にて形成され、各光源１４の発光側の各々に対応する位置に設けられている構成を想定する。この構成の場合、各光源１４から発光された光Ｌは、各突起７０を通じて光学シート２０に導出又は出射されてしまい、光学シート２０の光学特性に悪影響を及ぼす虞がある。
【００６７】
そこで、第５実施形態では、各突起７０の形状及び各突起７０の導光板１３ｙに対する設定位置を次のようにする。具体的には、各突起７０は、各光源１４からの光Ｌを遮光する遮光性部材（例えば黒色樹脂など）により形成する。そして、各突起７０は、各光源１４から発光された光Ｌを光学シート２０側へ透過させるのを阻止する形状とし、導光板１３ｙと液晶表示パネル５０との間であって、有効発光領域Ｖ１の外側の領域Ｖ２に設ける。図７の構成例では、各突起７０は、図７（ｂ）に示すように、平面的に見て、各光源１４から発光された光Ｌが光学シート２０側へ導出されないように当該各光源１４から発光された光Ｌを全て覆う平面形状（台形形状）とし、導光板１３ｙにおいて有効発光領域Ｖ１の外側の領域Ｖ２に且つ各光源１４の発光側に設けている。これによれば、遮光性を有する各突起７０の存在により、各光源１４から発光された光Ｌが光学シート２０側へ透過させるのを阻止できる。よって、光学シート２０の光学特性に悪影響を及ぼすことを防止でき、液晶装置２００ｂの表示品位が低下することを防止できる。
【００６８】
なお、この構成に限らず、本発明では、上記同様の目的を達成するために、各突起７０は、図７（ｃ）に示すように、有効発光領域Ｖ１の外側の領域Ｖ２であって、光学シート２０と重ならない位置に且つ傾斜部１３ｂと平面的に重なる位置に設けることとしてもよい。ここで、図７（ｃ）は、図７（ｂ）に対応する、複数の光源１４及び導光板１３ｙの傾斜部１３ｂ付近の要部平面図を示す。
【００６９】
また、第５実施形態では、導光板１３ｙと液晶表示パネル５０に固定され又は取り付けられた第２の偏光板８とを各突起７０を介して間接的に結合している。ここで、各突起７０は、導光板１３ｙ及び第２の偏光板８に対して遮光テープ９等によって接合されている。  これにより、この液晶装置２００ｂに対して落下等による衝撃が加わった場合に、上記の比較例と比較して、液晶表示パネル５０及び導光板１３ｙの各外周部を基点として、液晶表示パネル５０及び導光板１３ｙの各中央部付近が相反する方向に撓み難くなる。その結果、液晶装置２００ｂに対して大きな応力が作用することを抑制又は緩和できる。
【００７０】
なお、本発明では、この構成に限らず、導光板１３ｙと液晶表示パネル５０とを各突起７０を介して間接的に結合してもよい。なお、この場合、各突起７０は、導光板１３ｙ及び液晶表示パネル５０に対して遮光テープ９等によって接合される。これにより、上記した第５実施形態と同様の作用効果を奏することができる。
【００７１】
[第６実施形態]
次に、図８（ａ）及び（ｂ）を参照して、本発明の第６実施形態に係る電気光学装置の一例としての液晶装置２００ｃの構成、及び液晶表示パネル５０の応力抑制構造について説明する。
【００７２】
図８（ａ）は、図２に対応する、第６実施形態に係る液晶装置２００ｃの要部断面図を示す。図８（ｂ）は、複数の光源１４及び導光板１３ｙの傾斜部１３ｂ付近の要部平面図を示す。図８（ｂ）において、各光源１４から導光板１３ｙ内に向けて斜めに延びる破線は、光源１４から導光板１３ｙに向けて放射状に発光される光Ｌの外縁部分を示す。また、図８（ｂ）において、一点鎖線にて囲まれる導光板１３ｙの領域は有効発光領域Ｖ１を示し、破線にて囲まれる領域は光学シート２０の領域を示す。
【００７３】
第１実施形態に係る液晶装置１００と、第６実施形態に係る液晶装置２００ｃとを比較した場合、その両者は、導光板の形状、及び各突起の構成などが異なり、それ以外は同様である。よって、以下では、第１実施形態と同一の要素については同一の符号を付し、その説明は省略する。
【００７４】
第６実施形態に係る液晶装置２００ｃでは、上記した第５実施形態と同様の導光板１３ｙと、各突起７１などを備え、上記した第５実施形態と同様の目的を得る。
【００７５】
各突起７１は、例えば導光板１３ｙと同様の素材にて形成され、導光板１３ｙとは異なる別途独立の部材にて形成されている。各突起７１は、導光板１３ｙと液晶表示パネル５０との間であって、有効発光領域Ｖ１の外側の領域Ｖ２に設けられている。また、各突起７１と導光板１３ｙとの境界面には光を反射する反射層７２が設けられている。反射層７２は、各光源１４から発光された光Ｌを、光学シート２０側へ導出させることなく導光板１３ｙ内に向けて反射させる位置に設けられる。好適な例では、反射層７２は、例えば蒸着法などにより、導光板１３ｙと対面する各突起７１の面、及び各突起７１と導光板１３ｙとの境界面に位置する導光板１３ｙの面の少なくとも一方に形成することとしてもよい。図８の構成例では、各突起７１及び反射層７２は、図８（ｂ）に示すように、平面的に見て、各光源１４から発光された光Ｌが光学シート２０側へ導出されないように当該各光源１４から発光された光Ｌを全て覆う平面形状（台形形状）とし、導光板１３ｙにおいて有効発光領域Ｖ１の外側の領域Ｖ２に且つ各光源１４の発光側に設けている。
【００７６】
これにより、各光源１４から反射層７２に向けて発光された光Ｌの一部は反射層７２にて反射され、導光板１３ｙの内部へ戻される。よって、各光源１４から発光された光Ｌが光学シート２０側に向けて導出又は出射されることを防止できる。その結果、光学シート２０の光学特性に悪影響を及ぼすことを防止でき、液晶装置２００ｃの表示品位が低下することを防止できる。
【００７７】
なお、この構成に限らず、本発明では、上記同様の目的を達成するために、各突起７１及び反射層７２は、図８（ｃ）に示すように、有効発光領域Ｖ１の外側の領域Ｖ２であって、光学シート２０と重ならない位置に且つ傾斜部１３ｂと平面的に重なる位置に設けることとしてもよい。ここで、図８（ｃ）は、図８（ｂ）に対応する、複数の光源１４及び導光板１３ｙの傾斜部１３ｂ付近の要部平面図を示す。
【００７８】
また、第６実施形態では、導光板１３ｙと液晶表示パネル５０に固定され又は取り付けられた第２の偏光板８とを各突起７１及び反射層７２を介して間接的に結合している。なお、各突起７１は、例えば第２の偏光板８及び反射層７２に対して接着要素等によって接合されていると共に、反射層７２は、例えば導光板１３ｙに対して接着要素等によって接合されている。これにより、この液晶装置２００ｃに対して落下等による衝撃が加わった場合に、上記の比較例と比較して、液晶表示パネル５０及び導光板１３ｙの各外周部を基点として、液晶表示パネル５０及び導光板１３ｙの各中央部付近が相反する方向に撓み難くなる。その結果、液晶装置２００ｃに対して大きな応力が作用することを抑制又は緩和できる。
【００７９】
なお、本発明では、この構成に限らず、導光板１３ｙと液晶表示パネル５０とを各突起７１及び反射層７２を介して間接的に結合してもよい。これにより、上記した第６実施形態と同様の作用効果を奏することができる。
【００８０】
[電子機器]
次に、上記の第１乃至第６実施形態に係る液晶装置１００、１００ａ、２００、２００ａ、２００ｂ、又は２００ｃ（以下、代表して「液晶装置１０００」と称する）を備える電子機器の具体例について図９を参照して説明する。
【００８１】
まず、本発明に係る液晶装置１０００を、可搬型のパーソナルコンピュータ（いわゆるノート型パソコン）の表示部に適用した例について説明する。図９（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【００８２】
続いて、本発明に係る液晶装置１０００を、携帯電話機の表示部に適用した例について説明する。図９（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【００８３】
なお、本発明に係る液晶装置１０００を適用可能な電子機器としては、図９（ａ）に示したパーソナルコンピュータや図９（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００８４】
【図１】本発明の第１実施形態に係る液晶装置の分解斜視図。
【図２】図１の切断線Ａ−Ａ’に沿った液晶装置の組立て後の要部断面図。
【図３】第１実施形態に係る導光板の突起付近の各要部平面図。
【図４】第２実施形態に係る液晶装置の分解斜視図。
【図５】図４の切断線Ｂ−Ｂ’に沿った液晶装置の組立て後の要部断面図。
【図６】第３及び４実施形態に係る各液晶装置の要部断面図。
【図７】第５実施形態に係る液晶装置の要部断面図、導光板の突起付近の要部平面図。
【図８】第６実施形態に係る各液晶装置の要部断面図。
【図９】本発明の液晶装置を備える電子機器の斜視図。
【符号の説明】
【００８５】
８  第２の偏光板、  ９  遮光テープ、  １３、１３ｘ、１３ｙ  導光板、  １３ａ  本体部、  １３ｂ  傾斜部、  １３ｃ  入光端面、  １３ｄ、１３ｄａ、７０、７１  突起、  １４  光源、  ５０  液晶表示パネル、  １００、１００ａ、２００、２００ａ、２００ｂ、２００ｃ、１０００  液晶装置
【図１】
2009181090.tif 000003
【図２】
2009181090.tif 000004
【図３】
2009181090.tif 000005
【図４】
2009181090.tif 000006
【図５】
2009181090.tif 000007
【図６】
2009181090.tif 000008
【図７】
2009181090.tif 000009
【図８】
2009181090.tif 000010
【図９】
2009181090.tif 000011